(57)【要約】【課題】ビデオカセットレコーダにおいて、簡素な構成でありながらも、大きな動作音を発生させることなく、ＦＦ／ＲＥＷモードから停止モードに瞬時に移行させる。【解決手段】モードレバー１０のラック１７と噛合うモードレバー駆動ギア１１のうち、ＦＦ／ＲＥＷモード位置から停止モード位置にスライド駆動する際にラック１７と噛合う平歯３１ｃのピッチ円の半径を、他の平歯３１ａ，３１ｂ及び３１ｄのピッチ円の半径より大きく形成する。これにより、モードレバー１０は、ＦＦ／ＲＥＷモード位置から停止モード位置にスライド移動する際に、平歯３１ｃによって、他のモード位置にあるときよりも高い速度でスライド駆動され、ブレーキ制御レバー９を瞬時に制動解除位置から最大制動位置に移動させ、供給側及び巻取り側のブレーキレバー７，８を回転させて供給側及び巻取り側のリール台３，４にブレーキをかける。【選択図】図７
2005063616.tif 000002
【特許請求の範囲】
【請求項１】
シャーシに回転自在に軸支され、所定の方向に回転することにより、供給側及び巻取り側のリール台にブレーキをかける供給側及び巻取り側のブレーキレバーと、
この供給側及び巻取り側のブレーキレバーを各リール台にブレーキをかける方向に付勢する付勢手段と、
駆動力を受けるボスを有し、シャーシに沿ってスライド移動することにより供給側及び巻取り側のブレーキレバーと当接し、各ブレーキレバーを前記付勢手段の付勢力に抗して回転駆動して、各リール台のブレーキを制御するブレーキ制御レバーと、
駆動力の入力を受けるためのラックと、該ラックを介して入力された駆動力の向きを変換して前記ブレーキ制御レバーのボスに伝達するためのカム溝を有し、シャーシに沿って該ブレーキ制御レバーの移動方向と略直交する方向にスライド移動することにより、前記ブレーキ制御レバーをスライド駆動してビデオカセットレコーダの動作モードをＦＦ／ＲＥＷ（早送り／巻き戻し）モードから停止モードに切り替えるモードレバーと、
シャーシに回転自在に軸支され、前記モードレバーのラックと噛合って該モードレバーに駆動力を入力するモードレバー駆動ギアと、
このモードレバー駆動ギアを駆動するための駆動機構とを備えたビデオカセットレコーダにおいて、
前記モードレバー駆動ギアは、前記モードレバーをＦＦ／ＲＥＷモード位置から停止モード位置にスライド駆動する際に前記ラックと噛合う第１の歯と、前記モードレバーが他のモード位置にあるときに前記ラックと噛合う第２の歯を有し、
前記第１の歯のピッチ円は、前記第２の歯のピッチ円より大きく形成され、
前記ラックは、前記第１及び第２の歯に対応する歯を有し、
前記モードレバーは、ＦＦ／ＲＥＷモード位置から停止モード位置にスライド移動する際に、前記第１の歯によって、他のモード位置にあるときよりも高い速度でスライド駆動され、これにより、前記ブレーキ制御レバーを瞬時に制動解除位置から最大制動位置に移動させ、前記付勢手段の付勢力によって供給側及び巻取り側のブレーキレバーを回転させて供給側及び巻取り側のリール台にブレーキをかけることを特徴とするビデオカセットレコーダ。
【請求項２】
駆動力の入力を受けるためのラックを有し、シャーシに沿ってスライド移動することにより、ビデオカセットレコーダの動作モードを切り替えるモードレバーと、
シャーシに回転自在に軸支され、前記モードレバーのラックと噛合って該モードレバーに駆動力を入力するモードレバー駆動ギアと、
このモードレバー駆動ギアを駆動するための駆動機構とを備えたビデオカセットレコーダにおいて、
モードレバー駆動ギアは、前記モードレバーを第１のモード位置から第２のモード位置にスライド駆動する際に前記ラックと噛合う第１の歯と、前記モードレバーが第３のモード位置にあるときに前記ラックと噛合う第２の歯を有し、
前記第１の歯のピッチ円は、前記第２の歯のピッチ円より大きく形成され、
前記ラックは、前記第１及び第２の歯に対応する歯を有し、
前記モードレバーは、第１のモード位置から第２のモード位置にスライド移動する際に、前記第１の歯によって、前記第３のモード位置にあるときよりも高い速度でスライド駆動され、第１のモードから第２のモードへの移行を、他のモードの移行よりも速やかに行えるようにしたことを特徴とするビデオカセットレコーダ。
【請求項３】
シャーシに回転自在に軸支され、所定の方向に回転することにより、供給側及び巻取り側のリール台にブレーキをかける供給側及び巻取り側のブレーキレバーと、
駆動力を受けるボスを有し、シャーシに沿ってスライド自在に支持され、供給側及び巻取り側のブレーキレバーと当接し、各リール台のブレーキを制御するブレーキ制御レバーとをさらに備え、
前記モードレバーは、前記ラックを介して入力された駆動力の向きを変換して前記ブレーキ制御レバーのボスに伝達するためのカム溝を有し、
前記モードレバーは、第１のモード位置から第２のモード位置にスライド移動する際に、前記ブレーキ制御レバーを瞬時に移動させて供給側及び巻取り側のリール台にブレーキをかけることを特徴とする請求項２に記載のビデオカセットレコーダ。
【発明の詳細な説明】
【技術分野】
【０００１】
本発明は、磁気テープに映像／音声等の情報を記録するビデオカセットレコーダに関するものである。
【背景技術】
【０００２】
近年のビデオカセットレコーダでは、磁気テープのＦＦ／ＲＥＷ（早送り／巻き戻し）を短時間に行えるように、ＦＦ／ＲＥＷ時に巻取り側／供給側のリールを高速で回転駆動するように構成されている。このようなビデオカセットレコーダにおいては、ＦＦ／ＲＥＷモードからユーザによって停止ボタンが押下されたとき、ユーザ所望の位置で停止させるために、停止モードへの移行を迅速に行う必要がある。また、磁気テープが巻き始め／巻終わりまで巻き取られてカセットテープのリーダ部を検出したとき、ブレーキ動作が遅れるとリーダテープ部が出過ぎた状態で停止することになり、テープに損傷を及ぼしたり、ビデオカセットレコーダの機構・走行系にダメージを与えたりすることがある。このような弊害を防止するためにも、停止モードへの移行をすばやく行う必要がある。
【０００３】
ところで、ビデオカセットレコーダにおいて、動作モードの切り替えは、一般に、シャーシに沿ってスライド自在に配設されているモードレバーの移動によって制御されている。従って、ＦＦ／ＲＥＷモードから停止モードへのモード移行を速めるためには、モードレバーを高速で駆動しなけければならない。そこで、モードレバーを駆動するモードレバー駆動ギアにねじりコイルばねを組み込んで、ねじりコイルばねのキックによって瞬時にモードレバーを移動させるように構成されたビデオカセットレコーダが知られている（例えば、特許文献１参照）。
【０００４】
また、モータによって回転駆動されるカム盤と、このカム盤に連結されたレバー部材とによってモードレバーを駆動するように構成されたビデオカセットレコーダが知られている（例えば、特許文献２及び特許文献３参照）。また、モータの駆動力が伝達されてスライド移動するスライドレバーと、このスライドレバーのスライドによって回転駆動されるギアとによって、モードレバーを駆動するように構成されたビデオカセットレコーダが知られている（例えば、特許文献４参照）。
【０００５】
【特許文献１】実登３０７５４２５号公報
【特許文献２】特開平７−１６９１６１号公報
【特許文献３】特開平２−２８７９４４号公報
【特許文献４】特開昭６３−５６８４２号公報
【発明の開示】
【発明が解決しようとする課題】
【０００６】
しかしながら、特許文献１に示されるビデオカセットレコーダにおいては、モードレバー駆動ギアを２つのギアによって構成すると共に、両者の間にねじりコイルばねを組み込む必要がある。すなわち、ＦＦ／ＲＥＷモードから停止モードへのモード移行を速めるための専用部品を組み込む必要があるので、装置の構成が複雑となり製造コストの高騰を招来する。また、ねじりコイルばねのキックによってモードレバー駆動ギアを瞬時に回転させるとき、大きな動作音が発生しユーザに不快感を与える。
【０００７】
また、特許文献２及び特許文献３に示されるビデオカセットレコーダにおいては、カム盤及びレバー部材が必要であるので、装置の構成が複雑となり製造コストの高騰を招来するばかりか、装置の小型化を図ることが困難となる。同様に、特許文献４に示されるビデオカセットレコーダにおいても、スライドレバー等が必要であるので、装置の構成が複雑となる。
【０００８】
本発明は、上記課題を解決するためになされたものであり、簡素な構成でありながらも、大きな動作音を発生させることなく、ＦＦ／ＲＥＷモードから停止モードに瞬時にモード移行することができるビデオカセットレコーダを提供することを目的とする。
【課題を解決するための手段】
【０００９】
上記目的を達成するために請求項１の発明は、シャーシに回転自在に軸支され、所定の方向に回転することにより、供給側及び巻取り側のリール台にブレーキをかける供給側及び巻取り側のブレーキレバーと、この供給側及び巻取り側のブレーキレバーを各リール台にブレーキをかける方向に付勢する付勢手段と、駆動力を受けるボスを有し、シャーシに沿ってスライド移動することにより供給側及び巻取り側のブレーキレバーと当接し、各ブレーキレバーを付勢手段の付勢力に抗して回転駆動して、各リール台のブレーキを制御するブレーキ制御レバーと、駆動力の入力を受けるためのラックと、該ラックを介して入力された駆動力の向きを変換してブレーキ制御レバーのボスに伝達するためのカム溝を有し、シャーシに沿って該ブレーキ制御レバーの移動方向と略直交する方向にスライド移動することにより、ブレーキ制御レバーをスライド駆動してビデオカセットレコーダの動作モードをＦＦ／ＲＥＷ（早送り／巻戻し）モードから停止モードに切り替えるモードレバーと、シャーシに回転自在に軸支され、モードレバーのラックと噛合って該モードレバーに駆動力を入力するモードレバー駆動ギアと、このモードレバー駆動ギアを駆動するための駆動機構とを備えたビデオカセットレコーダにおいて、モードレバー駆動ギアは、モードレバーをＦＦ／ＲＥＷモード位置から停止モード位置にスライド駆動する際にラックと噛合う第１の歯と、モードレバーが他のモード位置にあるときにラックと噛合う第２の歯を有し、第１の歯のピッチ円は、第２の歯のピッチ円より大きく形成され、ラックは、第１及び第２の歯に対応する歯を有し、モードレバーは、ＦＦ／ＲＥＷモード位置から停止モード位置にスライド移動する際に、第１の歯によって、他のモード位置にあるときよりも高い速度でスライド駆動され、これにより、ブレーキ制御レバーを瞬時に制動解除位置から最大制動位置に移動させ、付勢手段の付勢力によって供給側及び巻取り側のブレーキレバーを回転させて供給側及び巻取り側のリール台にブレーキをかけるものである。
【００１０】
請求項２の発明は、駆動力の入力を受けるためのラックを有し、シャーシに沿ってスライド移動することにより、ビデオカセットレコーダの動作モードを切り替えるモードレバーと、シャーシに回転自在に軸支され、モードレバーのラックと噛合って該モードレバーに駆動力を入力するモードレバー駆動ギアと、このモードレバー駆動ギアを駆動するための駆動機構とを備えたビデオカセットレコーダにおいて、モードレバー駆動ギアは、モードレバーを第１のモード位置から第２のモード位置にスライド駆動する際にラックと噛合う第１の歯と、モードレバーが第３のモード位置にあるときにラックと噛合う第２の歯を有し、第１の歯のピッチ円は、第２の歯のピッチ円より大きく形成され、ラックは、第１及び第２の歯に対応する歯を有し、モードレバーは、第１のモード位置から第２のモード位置にスライド移動する際に、第１の歯によって、第３のモード位置にあるときよりも高い速度でスライド駆動され、第１のモードから第２のモードへの移行を、他のモードの移行よりも速やかに行えるようにしたものである。
【００１１】
請求項３の発明は、請求項２に記載のビデオカセットレコーダにおいて、シャーシに回転自在に軸支され、所定の方向に回転することにより、供給側及び巻取り側のリール台にブレーキをかける供給側及び巻取り側のブレーキレバーと、駆動力を受けるボスを有し、シャーシに沿ってスライド自在に支持され、供給側及び巻取り側のブレーキレバーと当接し、各リール台のブレーキを制御するブレーキ制御レバーとをさらに備え、モードレバーは、ラックを介して入力された駆動力の向きを変換してブレーキ制御レバーのボスに伝達するためのカム溝を有し、モードレバーは、第１のモード位置から第２のモード位置にスライド移動する際に、ブレーキ制御レバーを瞬時に移動させて供給側及び巻取り側のリール台にブレーキをかけるものである。
【発明の効果】
【００１２】
請求項１の発明によれば、従来の装置においてＦＦ／ＲＥＷモードから停止モードに移行する際にモードレバーの移動速度を高めるために必要とされていたねじりコイルばね等の専用部品を設けることなく、瞬時に停止モードに移行して各リール台にブレーキをかけることができる。これにより、ビデオカセットレコーダの構成を簡素なものとすることができ、その製造コストの低減を図ることが可能となる。また、停止モードに移行する際に、ねじりコイルばねのキックに起因する大きな動作音が発生しないので、ユーザに不快感を与えることもなくなる。
【００１３】
請求項２の発明によれば、従来の装置において第１のモードから第２のモードに移行する際のモードレバーの移動速度を高めるために必要とされていたねじりコイルばね等の専用部品を設けることなく、瞬時に動作モードを移行することができる。これにより、ビデオカセットレコーダの構成を簡素なものとすることができ、その製造コストの低減を図ることが可能となる。また、第２のモードに移行する際に、ねじりコイルばねのキックに起因する大きな動作音が発生しないので、ユーザに不快感を与えることもなくなる。
【００１４】
請求項３の発明によれば、第１のモードから第２のモードに移行する際に、瞬時に各リール台にブレーキをかけることができる。
【発明を実施するための最良の形態】
【００１５】
本考案を実施するための最良の形態について図面を参照して説明する。本考案の一実施の形態による磁気テープを用いた記録再生装置（ビデオカセットレコーダ）の構成を図１及び図２に示す。図１はシャーシＣの上側（テープカセットが装着される側）の構成を示す正面図であり、図２はシャーシＣの下側の構成を示す背面図である。また、図３は本実施形態のブレーキ機構の主要部の構成を示した背面図である。既に述べたように、近年のビデオカセットレコーダでは、ＦＦ／ＲＥＷ時に巻取り側／供給側のリールを高速で回転駆動するように構成されているので、ＦＦ／ＲＥＷモードから停止モードへの移行を速める必要がある。ＦＦ／ＲＥＷモードから停止モードへの移行を速める手法として、ＦＦ／ＲＥＷ状態から停止モードに移行する際のメカ（モードレバー）のスライド移動のストロークを最小に抑えることと、モードレバーのスライド移動の速度を高めることが挙げられる。そこで、本実施の形態のビデオカセットレコーダ１にはこれらの手法が採用されている。
【００１６】
ビデオカセットレコーダ１は、磁気テープを走行させるための駆動力を発生させるキャプスタンモータ２と、ビデオカセットの供給側及び巻取り側のリールを回転駆動するための供給側リール台３及び巻取り側リール台４と、キャプスタンモータ２の駆動力を供給側リール台３又は巻取り側リール台４のいずれかに選択的に伝達する２つの遊星ギア５と、磁気テープ上のビデオ信号トラックからビデオ信号を読み出すためのビデオヘッドを内蔵したヘッドシリンダ６と、供給側リール台３及び巻取り側リール台４にブレーキをかける供給側ブレーキレバー７及び巻取り側ブレーキレバー８と、供給側ブレーキレバー７及び巻取り側ブレーキレバー８を回転駆動して、巻取り側リール台３及び供給側リール台４のブレーキを制御するブレーキ制御レバー９と、シャーシＣに沿ってスライド移動することにより、ビデオカセットレコーダ１の動作モードを切り替えるモードレバー１０と、モードレバー１０に駆動力を入力するモードレバー駆動ギア１１と、モードレバー駆動ギア１１を駆動するための駆動機構１２等によって構成されている。
【００１７】
巻取り側リール台４の円筒状部分には、その外周面に沿うようにバンドブレーキ１５が設けられており、バンドブレーキ１５の一端はシャーシＣに固定されている。また、巻取り側リール台４の近傍には、巻取り側ブレーキレバー８がシャーシＣに回転自在に軸支されており、その一端がバンドブレーキ１５の他端に係合されている。すなわち、バンドブレーキ１５は、巻取り側ブレーキレバー８の回転位置に応じて、巻取り側リール台４の円筒状部分に接触することにより、巻取り側リール台４の回転にブレーキをかける。また、供給側リール台３の近傍には、供給側ブレーキレバー７がシャーシＣに回転自在に軸支されている。供給側ブレーキレバー７の一端には、供給側リール台３の円筒面に当接してブレーキをかけるためのブレーキシュー１６（図３参照）が設けられている。これらは、シャーシＣの上側に設けられている。
【００１８】
一方、図２に示すように、シャーシＣの下側には、ビデオカセットレコーダ１における記録モード、再生モード、早送りモード、巻き戻しモード及び各モードの停止を含む複数の動作モードに応じてその位置を変位させるモードレバー１０が、リール台３及び４の配列方向と略平行に摺動可能にシャーシＣに保持されている。モードレバー１０には、複数のカム溝やラックが形成されている。ラック１７には、モードレバー１０を変位させるためのモードレバー駆動ギア１１が噛合されており、モードレバー駆動ギア１１の回転に応じてモードレバー１０が矢印Ｘ方向に往復駆動される。モードレバー駆動ギア１１と噛合されるギア部品３５、ギア部品３６、ウォーム３７、プーリ３８、ベルト３９、プーリ４０及びローディングモータ４１により駆動機構１２が構成される。すなわち、ローディングモータ４１の駆動力は、プーリ４０、ベルト３９、プーリ３８、ウォーム３７、ギア部品３６、ギア部品３５、モードレバー駆動ギア１１を順次介してモードレバー１０に伝達され、モードレバー１０がスライド駆動される。
【００１９】
巻取り側ブレーキレバー８の回転軸と供給側ブレーキレバー７の回転軸の間には、モードレバー１０の変位方向に対して略直交する方向に変位されるブレーキ制御レバー９が設けられている。モードレバー１０には、ブレーキ制御レバー９を変位させるためのカム溝２１が設けられており、ブレーキ制御レバー９に設けられた当接ピン（ボス）２２がカム溝２１上を摺動するように、引っ張りコイルばね２３により付勢されている。カム溝２１は、ラック１７を介してモードレバー１０に入力された駆動力の向きを変換して、ブレーキ制御レバー９の当接ピン２２に伝達し、ビデオカセットレコーダ１の各モードに応じてブレーキ制御レバー９が所定の位置をとりうるように、所定の形状に形成されている。また、ＦＦ／ＲＥＷモード位置から停止モード位置に移行する際に必要なモードレバー１０の矢印方向への移動ストロークを小さくするため、カム溝２１のＦＦ／ＲＥＷモードから停止モードへの移行区間２１ａは、モードレバー１０の移動方向（矢印Ｘ方向）に対して略直交するように形成されている。
【００２０】
上記巻取り側ブレーキレバー８及び供給側ブレーキレバー７のそれぞれの一端には、シャーシＣに設けられた溝又は開口部を貫通するようにピン８ａ及び７ａが植設されており（図３参照）、ピン８ａ及び７ａがそれぞれブレーキ制御レバー９に連結されている。そのため、巻取り側ブレーキレバー８及び供給側ブレーキレバー７は、ブレーキ制御レバー９の動きに応じて所定方向に回転駆動され、それに伴って、巻取り側リール台４及び供給側リール台３に対してブレーキ操作が行われる。なお、上記引っ張りコイルばね２３は、巻取り側ブレーキレバー８と供給側ブレーキレバー７とに係合され、巻取り側ブレーキレバー８及び供給側ブレーキレバー７を互いに逆方向に回転させるための回転力を付勢すると共に、ブレーキ制御レバー９をモードレバー１０のカム溝２１に常時当接させるための付勢力を発生させる。
【００２１】
図４は、モードレバー１０のラック１７及びモードレバー駆動ギア１１を示している。モードレバー駆動ギア１１は、ラック１７と噛合うギア３１と、ギア部材３５（図２参照）と噛合うギア３２とを有する段ギアである。ギア３１は、テープローディング開始時にラック１７と噛合う平歯３１ａと、テープローディングモード時にラック１７と噛合う平歯３１ｂと、ＦＦ／ＲＥＷモードから停止モードに移行する際にラック１７と噛合う平歯３１ｃと、停止モードから再生モード等に移行する際にラック１７と噛合う平歯３１ｄとを有している。平歯３１ｃのピッチ円の半径Ｒｃは、他の平歯３１ａ，３１ｂ，３１ｄのピッチ円の半径Ｒａ，Ｒｂ，Ｒｄより大きくなるように形成されている。また、それに伴い、平歯３１ｃのピッチ及び歯たけも平歯３１ａ，３１ｂ，３１ｄより大きく形成されている。平歯３１と噛合されるラック１７は、平歯３１ａ，３１ｂ，３１ｃ及び３１ｄにそれぞれ対応する平歯１７ａ，１７ｂ，１７ｃ及び１７ｄによって構成されている。なお、平歯３１ａのピッチ円の半径Ｒａは、テープローディングの初期動作時におけるモードレバー駆動ギア１１とラック１７との噛合わせを確実なものとして、モードレバー１０を確実にスライド駆動できるように、平歯３１ｂ，３１ｄのピッチ円のＲｂ，Ｒｄより大きくなるように形成されている。
【００２２】
以上のように構成されたビデオカセットレコーダ１の主要部の、テープローディングモードからＦＦ／ＲＥＷモードを経て停止モードに至るまでの動作について、図５乃至図７を参照して説明する。これらの図においては、シャーシＣ、巻取り側リール台４及びバンドブレーキ１５等は省略している。図５に示されるテープローディングモードにおいて、モードレバー１０は平歯３１ｂによって矢印Ｘ１方向にスライド駆動される。
【００２３】
そして、図６に示されるＦＦ／ＲＥＷモードにおいて、ブレーキ制御レバー９は、当接ピン２２がカム溝２１の制動解除区間２１ｂにガイドされることにより、矢印Ｙ１方向にスライド駆動され、供給側ブレーキレバー７のピン７ａ及び巻取り側ブレーキレバー８のピン８ａを矢印Ｙ１方向に駆動する。その結果、各ブレーキレバー７，８は矢印Ｍ１，Ｍ２方向にそれぞれ回転駆動され、供給側リール台３及び巻取り側リール台４のブレーキが解除される。このときのブレーキ制御レバー９の位置を制動解除位置とする。
【００２４】
ＦＦ／ＲＥＷモードから図７に示される停止モードに移行する際には、モードレバー１０は平歯３１ｃによってさらに矢印Ｘ１方向にスライド駆動される。その結果、ブレーキ制御レバー９の当接ピン２２とカム溝２１の制動解除区間２１ｂとの係合が解かれ、引っ張りコイルばね２３の付勢力によって、ブレーキ制御レバー９が矢印Ｙ２方向に移動されると共に、供給側ブレーキレバー７及び巻取り側ブレーキレバー８が矢印Ｍ３，Ｍ４方向にそれぞれ回転され、供給側リール台３及び巻取り側リール台４にそれぞれ瞬間的に最大のブレーキがかけられる。このとき、ブレーキ制御レバー９は、当接ピン２２がカム溝２１の最大制動区間２１ｃと当接する位置まで移動され、このブレーキ制御レバー９の位置を最大制動位置とする。ここで、図４に示したように、平歯３１ｃのピッチ円の半径Ｒｃは、他の平歯３１ａ，３１ｂ及び３１ｄのピッチ円の半径Ｒａ，Ｒｂ及びＲｄより大きくなるように形成されているので、モードレバー駆動ギア９の回転角速度が一定であっても、モードレバー１０は、ＦＦ／ＲＥＷモード位置から停止モード位置にスライド移動する際に、平歯３１ｃによって、他のモード位置にあるときよりも高い速度でスライド駆動される。これにより、ＦＦ／ＲＥＷモードから停止モードへの移行は、他のモードへの移行よりも速やかになされることになる。
【００２５】
上述のごとく構成されたビデオカセットレコーダ１によれば、従来の装置においてＦＦ／ＲＥＷモードから停止モードに移行する際にモードレバー１０の移動速度を高めるために必要とされていたねじりコイルばね等の専用部品を設けることなく、瞬時に停止モードに移行して供給側リール台３及び巻取り側リール台４にブレーキをかけることができる。これにより、ビデオカセットレコーダ１の構成を簡素なものとすることができ、その製造コストの低減を図ることが可能となる。また、停止モードに移行する際に、ねじりコイルばねのキックに起因する大きな動作音が発生しないので、ユーザに不快感を与えることもなくなる。
【００２６】
なお、本発明は上記実施形態の構成に限られることなく種々の変形が可能であり、例えば、平歯３１ａ，３１ｂ及び３１ｄよりピッチ円の半径の大きい平歯３１ｃによるモードの切り替えは、ＦＦ／ＲＥＷモードから停止モードへの切り替えに限られることなく、迅速なモードの切り替えが必要とされる別のモードに適用してもよい。また、引っ張りコイルばね又は圧縮コイルばね等の付勢手段によってブレーキ制御レバー９を矢印Ｙ２方向に直接的に付勢する構成であっても構わない。また、カム溝２１の形状は、図５等に示したものに限られないことは言うまでもない。
【図面の簡単な説明】
【００２７】
【図１】本発明の一実施形態によるビデオカセットレコーダの上側の構成を示す正面図。
【図２】同レコーダの下側の構成を示す背面図。
【図３】同レコーダのブレーキ機構の主要部の構成を示す部分拡大図。
【図４】同レコーダに適用されるモードレバーとモードレバー駆動ギアを示す部分拡大図。
【図５】同レコーダのテープローディングモードにおける動作状態を示す図。
【図６】同レコーダのＦＦ／ＲＥＷモードにおける動作状態を示す図。
【図７】同レコーダの停止モードにおける動作状態を示す図。
【符号の説明】
【００２８】
１    ビデオカセットレコーダ
３    供給側リール台
４    巻取り側リール台
７    供給側ブレーキレバー
８    巻取り側ブレーキレバー
９    ブレーキ制御レバー
Ｃ    シャーシ
１０    モードレバー
１１    モードレバー駆動ギア
１２    駆動機構
２１    カム溝
２２    当接ピン（ボス）
２３    引っ張りコイルばね（付勢手段）
３１ａ，３１ｂ，３１ｄ  平歯（第２の歯）
３１ｃ    平歯（第１の歯）
【図１】
2005063616.tif 000003
【図２】
2005063616.tif 000004
【図３】
2005063616.tif 000005
【図４】
2005063616.tif 000006
【図５】
2005063616.tif 000007
【図６】
2005063616.tif 000008
【図７】
2005063616.tif 000009